(57)【要約】【課題】回路基板の変形や外装ケースの内部での振動を防止することによる品質の向上を容易に図ることのできる表示装置を提供する。【解決手段】外装ケース２の天板３に、回路基板Ｂの張出部Ｂａｂに接触して回路基板Ｂを外装ケース２の内側から支持する基板支持部９を一体に形成する。【選択図】図１
2008185999.tif 000002
【特許請求の範囲】
【請求項１】
表示パネルと、
視認側に開口が形成され前記表示パネルを収納するパネルケースを具備するパネルユニットと、
前記表示パネルと電気的に接続されるとともに、前記パネルケースの裏面側に配置され、前記パネルケースの外側に張り出す張出部を有する回路基板と、
視認側に複数の開口を有し、側板端縁にかしめ片が一体形成されている外装ケースとを備え、
前記かしめ片を折り曲げて、前記かしめ片を前記回路基板の裏面に当接させることにより、前記外装ケースの内部に前記パネルユニットが収納され、前記回路基板が前記外装ケースに固定されている表示装置において、
前記回路基板の張出部に接触し、前記回路基板を前記外装ケースの内側から支持する基板支持部が、前記外装ケースに一体に形成されていることを特徴とする表示装置。
【請求項２】
前記複数の開口が、前記表示パネルの表示を外部から視認する矩形状の表示パネル用開口と、該表示パネル用開口に隣位する矩形状の副開口とにより形成されているとともに、前記副開口の内周縁であって、該内周縁の少なくとも前記かしめ片が形成されている側板側に、前記副開口の平面に対して角度を有するように前記基板支持部が、立設して形成されている請求項１に記載の表示装置。
【発明の詳細な説明】
【技術分野】
【０００１】
本発明は、表示パネルを具備するパネルユニットと、表示パネルと電気的に接続されている回路基板とが外装ケースに収納されている表示装置に関する。
【背景技術】
【０００２】
従来から、文字や図形などの各種の情報を表示することのできる液晶表示パネル、ＥＬ表示パネル、プラズマ表示パネルなどの各種の表示パネルを備えた表示装置においては、外装ケースに表示パネルが組み込まれている。
【０００３】
例えば、小型かつ軽量でしかも設置スペースが少なくてすむ液晶表示装置は、１対の基板の間に液晶が封入された液晶表示パネルに、液晶駆動用の回路基板およびバックライトなどの周辺部品が接続されて構成されている。そして、液晶表示パネルおよびその周辺部品は、金属板をプレス加工することにより形成された外装ケースに収納されるようになっている（例えば、特許文献１参照）。
【０００４】
ところで、近年においては、視認側に複数の開口を有する外装ケースが用いられている。
【０００５】
このような視認側に複数の開口を備えた外装ケースを用いた表示装置について、液晶表示装置を例示して説明する。
【０００６】
図２から図４は、従来の液晶表示装置の一例を簡略化して示すものであり、従来の表示装置としての液晶表示装置１０１は、パネルユニットＵと、回路基板Ｂと、外装ケース１０２とを有している。
【０００７】
パネルユニットＵは、内部に収納されたバックライトユニットＬおよび表示パネルとしての液晶表示パネルＰとを有している。
【０００８】
パネルケースＣは、液晶表示パネルＰの視認側である図２の上方に示す前面側ＦＳに開口が形成され、前面側ＦＳとは反対の後面側ＢＳが底板Ｃａにより閉塞されている。すなわち、パネルケースＣは、全体として上部が開口の箱状に形成されている。そして、パネルケースＣの内部の底板Ｃａ側にバックライトユニットＬが配置されており、このバックライトユニットＬの前面側ＦＳに液晶表示パネルＰが配置されている。
【０００９】
回路基板Ｂは、図示しない可撓配線板などの接続部材により液晶表示パネルＰと電気的に接続されているとともに、パネルケースＣの後面側ＢＳに配置されている。この回路基板ＢのパネルケースＣの後面Ｃｂ（図２の下面）と対向する前面Ｂａ（図２の上面）には、パネルケースＣの後面Ｃｂに当接される当接面Ｂａａ（図２の左側）が形成され、また回路基板ＢにはパネルケースＣの後面Ｃｂの外側に張り出す張出部Ｂａｂ（図２の右側）が形成されている。また、回路基板Ｂの張出部Ｂａｂには、例えば、発光ダイオード（ＬＥＤ）Ｂ１が実装されており、回路基板Ｂの後面Ｂｂには、例えば、液晶駆動用の駆動ドライバＢ２などの種々の電子部品が実装されている。
【００１０】
外装ケース１０２は、例えば、厚さが０．５ｍｍ程度のステンレス薄板などからなる金属板をプレス加工することにより、平面矩形状に形成された天板１０３と、この天板１０３の４辺の外周縁から天板１０３の厚さ方向に沿って図２の下方に向かってほぼ直角に延出された４つの側板１０４（２つのみ図示）とを有する全体として下部が開口の箱状に形成されている。
【００１１】
天板１０３には、内外を連通するように天板１０３を図２の上下方向に示す厚さ方向に貫通する２つの開口１０５が設けられている。これらの開口１０５は、図２の左方に示す図２の左右方向である横方向が長い全体として横長矩形状で開口面積の大きい第１開口１０５Ａと、この第１開口１０５Ａの図２の右側に隣設された第２開口１０５Ｂとから構成されている。また、第２開口１０５Ｂは、第１開口１０５Ａより開口面積の小さい図２の紙面垂直方向に示す縦方向が長い全体として縦長矩形状に形成されている。さらに、第１開口１０５Ａは、液晶表示パネルＰによる表示を外部（図２の上方に示す前面側ＦＳ）から視認（観察）するための表示パネル用開口とされており、第２開口１０５Ｂは、発光ダイオードＢ１による表示を外部から視認するための副開口とされている。これら２つの開口１０５（符号１０５は、第１開口１０５Ａおよび第２開口１０５Ｂを総称する。）は、打抜きにより形成されている。
【００１２】
また、天板１０３のうちの第１開口１０５Ａと第２開口１０５Ｂとの間に位置する部位は、図２の紙面垂直方向において対向する図示しない２つの側板１０４の前面側ＦＳに位置する上端を図２の紙面垂直方向に接続する縦方向に長く、図２の左右方向に示す幅の狭い全体として縦長矩形状の桟部１０６とされている。
【００１３】
桟部１０６の図２の右方に示す右端縁には、天板１０３の厚さ方向に沿って下方に向かってほぼ直角に延出された取付用壁部１０７が設けられている。この取付用壁部１０７は、外装ケース１０２に収納されるパネルケースＣの右側面の位置決めに用いられるものであり、桟部１０６の長手方向の両端を除いて形成されている。すなわち、取付用壁部１０７は、第２開口１０５Ｂの内周縁１０５Ｂａのうちの第１開口１０５Ａに隣位する隣位側となる左端縁に形成されている。また、取付用壁部１０７は、曲げ加工することにより形成されている。
【００１４】
外装ケース１０２の後面側ＢＳに位置する図２下方に示す開口端縁１０２ａには、複数のかしめ片１０８が形成されている。これらのかしめ片１０８は、図３に誇張して示すように、折り曲げる前の状態において、開口端縁１０２ａから起立形成された脚部１０８ａと、この脚部１０８ａの側端縁から延出形成された折曲可能な爪部１０８ｂとによりほぼＬ字状に形成されている。なお、かしめ片１０８は、４つの側板１０４のうちの少なくとも対向する２つの側板１０４に設けられていればよい。
【００１５】
液晶表示装置１０１を組み立てるには、図４に示すように、外装ケース１０２の後面側ＢＳからパネルユニットＵを、液晶表示パネルＰの表示を表示パネル用開口としての第１開口１０５Ａを通して外部から視認できるように第１開口１０５Ａの下方に示す後面側ＢＳ（取付用壁部１０７の左側）に収納し、さらに、回路基板Ｂを、その当接面ＢａａがパネルケースＣの後面Ｂａに当接するように配置し、この状態で、外装ケース１０２の開口端縁１０２ａに形成されたかしめ片１０８、詳しくは、かしめ片１０８の爪部１０８ｂを捻るように回路基板側に折り曲げて、回路基板Ｂの後面Ｂｂに当接させることにより、外装ケース１０２の内部にパネルユニットＵおよび回路基板Ｂを固定することで図２に示す液晶表示装置１０１が形成されるようになっている。
【００１６】
なお、図２および図４においては、厚さ方向および深さ方向を誇張して示してある。
【００１７】
また、折り曲げたかしめ片１０８の少なくとも１箇所は、外装ケース１０２を接地するために、回路基板Ｂの後面Ｂｂに形成されている図示しない配線とハンダ付けにより電気的に接続されるようになっている。このハンダ付け部の位置の一例を図２に符号Ｓにて示す。
【００１８】
【特許文献１】特開２００４−３０２２１２号公報
【発明の開示】
【発明が解決しようとする課題】
【００１９】
しかしながら、前述した従来の液晶表示装置１０１においては、回路基板Ｂの張出部Ｂａｂがかしめ片１０８によって後面側ＢＳからのみ支持されており、回路基板Ｂの張出部Ｂａｂが上方に移動可能とされていることに起因して品質に悪影響を及ぼすという問題点があった。
【００２０】
例えば、かしめ片１０８を折り曲げて爪部１０８ｂを回路基板Ｂの後面Ｂｂに当接させると、回路基板Ｂの張出部ＢａｂがパネルケースＣの後面Ｃｂの右端を支点Ｆとして図２に太矢印にて示すように前面側ＦＳに向かって上方に湾曲して変形するという問題点があった。
【００２１】
また、液晶表示装置１０１が車載用表示装置などのように原動機からの振動などの外力が加わる用途に用いられる場合、液晶表示装置１の内部で回路基板Ｂの張出部Ｂａｂが、外力により支点Ｆを中心として振動してしまい、この回路基板Ｂの張出部Ｂａｂの振動により、回路基板Ｂのみならず液晶表示パネルＰおよびバックライトユニットＬも振動してしまい、回路基板Ｂ、液晶表示パネルＰおよびバックライトユニットＬに悪影響を及ぼすという問題点があった。このような悪影響としては、ハンダ付け部Ｓの剥離を挙げることができる。特に、図２に示すように、回路基板Ｂの張出部Ｂａｂの右端部に隣位する側板１０４に形成されたかしめ片１０８にハンダ付け部Ｓが設けられている場合に顕著である。
【００２２】
そこで、回路基板の変形や外装ケースの内部での振動を防止することによる品質の向上を容易に図ることのできる表示装置が求められている。
【００２３】
本発明はこの点に鑑みてなされたものであり、回路基板の変形や外装ケースの内部での振動を防止することによる品質の向上を容易に図ることのできる表示装置を提供することを目的とする。
【課題を解決するための手段】
【００２４】
前述した目的を達成するため、本発明に係る表示装置の特徴は、表示パネルと、視認側に開口が形成され前記表示パネルを収納するパネルケースを具備するパネルユニットと、前記表示パネルと電気的に接続されるとともに、前記パネルケースの裏面側に配置され、前記パネルケースの外側に張り出す張出部を有する回路基板と、視認側に複数の開口を有し、側板端縁にかしめ片が一体形成されている外装ケースとを備え、前記かしめ片を折り曲げて、前記かしめ片を前記回路基板の裏面に当接させることにより、前記外装ケースの内部に前記パネルユニットが収納され、前記回路基板が前記外装ケースに固定されている表示装置において、前記回路基板の張出部に接触し、前記回路基板を前記外装ケースの内側から支持する基板支持部が、前記外装ケースに一体に形成されている点にある。
【００２５】
そして、このような構成を採用したことにより、回路基板の張出部が折り曲げられたかしめ片と基板支持部との間において厚さ方向の両側から挟まれた状態で固定支持されるので、回路基板の変形や外装ケースの内部での振動を防止することができる。
【００２６】
さらに、前記複数の開口が、前記表示パネルの表示を外部から視認する矩形状の表示パネル用開口と、該表示パネル用開口に隣位する矩形状の副開口とにより形成されているとともに、前記副開口の内周縁であって、該内周縁の少なくとも前記かしめ片が形成されている側板側に、前記副開口の平面に対して角度を有するように前記基板支持部が、立設して形成されていることが好ましい。
【発明の効果】
【００２７】
本発明に係る表示装置によれば、基板支持部は、折り曲げられたかしめ片と協働して回路基板の張出部をその厚さ方向の両側から挟み込むように固定支持するので、回路基板の変形や外装ケースの内部での振動を防止することによる品質の向上を容易に図ることができるなどの優れた効果を奏する。
【発明を実施するための最良の形態】
【００２８】
以下、本発明を図面に示す実施形態により説明する。
【００２９】
図１は本発明に係る表示装置の実施形態の要部を簡略化して示す概略断面図である。
【００３０】
本実施形態の表示装置は、表示窓としての内外を連通する２つの開口が設けられた外装ケースに収納されたものを例示している。また、本実施形態の表示装置は、外装ケース以外は前述した従来のものと同様とされているので、前述した従来のものと同一ないし相当する構成については図面中に同一の符号を付してある。
【００３１】
図１に示すように、本実施形態の表示装置としての液晶表示装置１は、パネルユニットＵと、回路基板Ｂと、外装ケース２とを有している。
【００３２】
前記パネルユニットＵは、パネルケースＣと、このパネルケースＣの内部に収納されたバックライトユニットＬおよび表示パネルとしての液晶表示パネルＰとを有している。
【００３３】
前記パネルケースＣは、透過型あるいは半透過型などの液晶表示パネルＰの視認側に位置する図１の上方に示す前面側ＦＳに開口が形成され、前面側ＦＳとは反対の後面側ＢＳが底板Ｃａにより閉塞されている。すなわち、パネルケースＣは、全体として上部が開口の箱状に形成されている。そして、パネルケースＣの内部の底板Ｃａ側にバックライトユニットＬが配置されており、このバックライトユニットＬの前面側ＦＳに液晶表示パネルＰが配置されている。
【００３４】
なお、表示パネルが、反射型液晶表示パネル、ＥＬ表示パネルおよびプラズマ表示パネルなどの場合には、バックライトユニットＬは配置されないことになる。
【００３５】
前記バックライトユニットＬおよび液晶表示パネルＰのその他の構成については、従来公知のものと同様とされているので、その詳しい説明については省略する。
【００３６】
前記回路基板Ｂは、図示しない可撓配線板などの接続部材により液晶表示パネルＰと電気的に接続されているとともに、パネルケースＣの後面側ＢＳに配置されている。この回路基板ＢのパネルケースＣの後面Ｃｂ（図１の下面）と対向する前面Ｂａ（図１の上面）には、パネルケースＣの裏面である後面Ｃｂに当接される当接面Ｂａａ（図１の左側）が形成され、また、回路基板ＢにはパネルケースＣの後面Ｃｂの外側に張り出す張出部Ｂａｂ（図１の右側）が形成されている。また、回路基板Ｂの張出部Ｂａｂには、例えば、発光ダイオード（ＬＥＤ）Ｂ１が実装されており、回路基板Ｂの後面Ｂｂには、例えば、液晶駆動用の駆動ドライバＢ２などの種々の電子部品が実装されている。
【００３７】
前記外装ケース２は、例えば、厚さが０．５ｍｍ程度のステンレス薄板などからなる金属板をプレス加工することにより、平面矩形状に形成された天板３と、この天板３の４辺の外周縁から天板３の厚さ方向に沿って図１の下方に向かってほぼ直角に延出された４つの側板４（２つのみ図示）とを有する全体として下部が開口の箱状に形成されている。
【００３８】
前記天板３には、内外を連通するように天板３を図１の上下方向に示す厚さ方向に貫通する２つの開口５が設けられている。これらの開口５は、図１の左方に示す図１の左右方向である横方向が長い全体として横長矩形状で開口面積の大きい第１開口５Ａと、この第１開口５Ａの図１の右側に隣設された第２開口５Ｂとから構成されている。また、第２開口５Ｂは、第１開口５Ａより開口面積の小さい図１の紙面垂直方向に示す縦方向が長い全体として縦長矩形状に形成されている。さらに、第１開口５Ａは、液晶表示パネルＰの図示しない表示部を外部（図１の上方に示す前面側ＦＳ）から視認するための表示パネル用開口とされており、第２開口５Ｂは、発光ダイオードＢ１による表示を外部から視認するための副開口とされている。これら２つの開口５（符号５は、第１開口５Ａおよび第２開口５Ｂを総称する。）は、打抜きにより形成されている。
【００３９】
前記天板３のうちの第１開口５Ａと第２開口５Ｂとの間に位置する部位は、図１の紙面垂直方向において対向する図示しない２つの側板１０４の前面側ＦＳに位置する上端を図１の紙面垂直方向に接続する縦方向に長く、図１の左右方向に示す幅の狭い全体として縦長矩形状の桟部６とされている。
【００４０】
前記桟部６の図１の右方に示す右端縁には、天板３の厚さ方向に沿って下方に向かってほぼ直角に延出された取付用壁部７が設けられている。この取付用壁部７は、外装ケース２に収納されるパネルケースＣの右側面の位置決めに用いられるものであり、桟部６の長手方向の両端を除いて形成されている。すなわち、取付用壁部７は、第２開口５Ｂの内周縁５Ｂａのうちの第１開口５Ａに隣位する隣位側となる左端縁に形成されている。また、取付用壁部７は、曲げ加工することにより形成されている。
【００４１】
前記第２開口５Ｂの内周縁５Ｂａのうちの第１開口５Ａに隣位する隣位側の反対側に位置する図１の右方に示す右端縁には、天板３の厚さ方向に沿って下方に向かってほぼ直角に延出された基板支持部９が一体に設けられている。この基板支持部９は、外装ケース２に収納された回路基板Ｂの張出部Ｂａｂに先端（図１の下端）が接触して回路基板Ｂを外装ケース２の内側から支持するためのものである。
【００４２】
なお、基板支持部９は、単数でも複数でもよく、また、単数の場合には先端を複数に分割するようにしてもよい。すなわち、回路基板Ｂの張出部Ｂａｂとの接触点の数を単数としても複数としてもよい。
【００４３】
また、基板支持部９は、第２開口５Ｂの内周縁５Ｂａの図１の紙面垂直方向の両側に位置する辺に設けられていてもよい。
【００４４】
前記基板支持部９は、取付用壁部７と同様に、曲げ加工することにより形成されている。
【００４５】
本実施形態の取付用壁部７および基板支持部９は、図示しない打抜き形成した平板に設けられた第２開口５Ｂの内部に基板支持部９および取付用壁部７となる加工対象部位を形成し、この加工対象部位を図示しない加工装置のダイスとポンチを用いて塑性変形させる深絞り加工により同時に一体形成されている。
【００４６】
なお、側板４の形成を取付用壁部７および基板支持部９の形成と同時に行うことが、加工工程数および加工時間の低減を図ることができるという意味で好ましい。
【００４７】
前記取付用壁部７および基板支持部９は、第２開口５Ｂの平面、すなわち、天板３の表面に対して角度を有するものであればよく、その角度としても直角に限らないが、天板３の表面に対して直角とすることが良好な深絞り加工性を得ることができるとともに、取付用壁部７および基板支持部９の位置精度を確実に確保することができるという意味で好ましい。
【００４８】
前記外装ケース２の後面側ＢＳに位置する図１下方に示す開口端縁２ａには、複数のかしめ片８が形成されている。これらのかしめ片８は、折り曲げる前の状態において、開口端縁から起立形成された脚部８ａ（図３の符号１０８ａ参照）と、この脚部８ａの側端縁から延出形成された爪部８ｂ（図３の符号１０８ｂ参照）とにより形成されている。なお、かしめ片８は、４つの側板４のうちの少なくとも対向する２つの側板４に設けられていればよい。
【００４９】
但し、複数のかしめ片８のうちの少なくとも１つは、折り曲げた状態で基板支持部９の先端にできるだけ近い位置を取り得るように配置することが、板支持板部９が折り曲げられたかしめ片８と協働して回路基板Ｂの張出部Ｂａｂをその厚さ方向の両側から確実に挟み込むことができるという意味で好ましく、基板支持部９の先端と対向するように配置することがより好ましい。
【００５０】
なお、図１においては、厚さ方向および深さ方向を誇張して示してある。
【００５１】
つぎに、前述した構成からなる本実施形態の作用について説明する。
【００５２】
本実施形態の液晶表示装置１は、外装ケース２の後面側ＢＳからパネルユニットＵを、液晶表示パネルＰの表示を表示パネル用開口としての第１開口５Ａを通して外部から視認できるように第１開口５Ａの下方に示す後面側ＢＳ（取付用壁部７の左側）に収納し、さらに、回路基板Ｂを、その当接面ＢａａがパネルケースＣの後面Ｂａに当接するように収納し、この状態で、外装ケース２の開口端縁２ａに形成されたかしめ片８、詳しくは、かしめ片８の爪部８ｂを捻るように回路基板側に折り曲げて、回路基板Ｂの後面Ｂｂに当接させることにより、外装ケース１０２の内部にパネルユニットＵおよび回路基板Ｂを固定することで形成されている。
【００５３】
この時、かしめ片８を折り曲げて回路基板Ｂの後面Ｂｂに当接させると、回路基板Ｂの張出部Ｂａｂが折り曲げられたかしめ片８、詳しくはかしめ片８の爪部８ｂと、基板支持部９、詳しくは基板支持部９の先端との間において厚さ方向の両側から挟まれた状態で固定支持されることになる。
【００５４】
また、折り曲げられたかしめ片８の少なくとも１箇所は、外装ケース２を接地するために、回路基板Ｂの下面Ｂｂに形成されている図示しない配線とハンダ付けされており、そのハンダ付け部Ｓにより、外装ケース２と回路基板Ｂとが電気的に接続されている。
【００５５】
このように、本実施形態の表示装置としての液晶表示装置１によれば、外装ケース２の天板３に、回路基板Ｂの張出部Ｂａｂに接触して回路基板Ｂを外装ケース２の内側から支持する基板支持部９が一体に形成されているから、折り曲げられたかしめ片８と基板支持部９との間において回路基板Ｂがその厚さ方向の両側から挟まれた状態で固定支持されるので、回路基板Ｂの張出部Ｂａｂの変形や外装ケース２の内部での振動を防止することが容易かつ確実にできる。
【００５６】
すなわち、本実施形態に係る表示装置としての液晶表示装置１によれば、基板支持部９は、折り曲げられたかしめ片８と協働して回路基板Ｂの張出部Ｂａｂをその厚さ方向の両側から挟み込むように固定支持するので、回路基板Ｂの張出部Ｂａｂの変形や外装ケース２の内部での振動を防止することによる品質の向上を容易に図ることができる。
【００５７】
また、本実施形態の表示装置としての液晶表示装置１によれば、天板３には、表示パネルＰの表示を外部から視認するための表示パネル用開口を含む複数の開口５が内外を連通するように形成されており、外装ケース２の後面側ＢＳからパネルユニットＵが液晶表示パネルＰの表示を表示パネル用開口を通して外部から視認可能に収納されているとともに、複数の開口５が、矩形状に形成されている表示パネル用開口としての第１開口５Ａと、この表示パネル用開口より開口面積の小さい矩形状に形成されている副開口としての第２開口５Ｂとにより形成されており、基板支持部９が、第２開口５Ｂの内周縁５Ｂａであって、この内周縁５Ｂａの少なくともかしめ片８が形成されている側板側に第２開口５Ｂの平面に対して角度を有するように立設して形成されているから、第２開口５Ｂに視認性の低下などの影響を与えることがない。勿論、表示パネル用開口としての第１開口５Ａに影響を与えることもない。
【００５８】
なお、本発明は、前述した実施形態に限定されるものではなく、必要に応じて種々の変更が可能である。
【図面の簡単な説明】
【００５９】
【図１】本発明に係る表示装置の実施形態の要部を簡略化して示す概略断面図
【図２】従来の表示装置の一例の要部を簡略化して示す概略断面図
【図３】図２の表示装置のかしめ片の折り曲げる前の状態の一例を示す拡大正面図
【図４】図２の表示装置の組立状態を示す分解図
【符号の説明】
【００６０】
１  液晶表示装置
２  外装ケース
２ａ  開口端縁
３  天板
５  開口
５Ａ  第１開口
５Ｂ  第２開口
５Ｂａ（第２開口の）内周縁
８  かしめ片
９  基板支持部
Ｂ  回路基板
Ｂａ  前面
Ｂａａ  当接面
Ｂａｂ  張出部
Ｂｂ  後面
Ｃ  パネルケース
Ｃａ  底板
Ｃｂ  後面（裏面）
Ｌ  バックライトユニット
Ｐ  液晶表示パネル
Ｕ  パネルユニット
ＦＳ  前面側
ＢＳ  後面側
【図１】
2008185999.tif 000003
【図２】
2008185999.tif 000004
【図３】
2008185999.tif 000005
【図４】
2008185999.tif 000006